(57)【要約】【課題】  より単純な構成で、タッチ感を変化させることなく、鍵の連打性を向上させることができるアップライトピアノのアクションを提供する。【解決手段】  鍵４の押鍵に伴い、ハンマー３に打弦を行わせるアップライトピアノのアクション１であって、ハンマー３を突き上げるためにハンマー３のバット２０の下面２０ｂに係合する係合位置と、ハンマー３から外れた離脱位置とに回動するジャック７と、ジャック７とハンマー３のキャッチャー２３との間に移動自在に設けられ、鍵４が離鍵されることにより、ハンマー３が、バックチェック９に係止された係止位置から復帰回動を再開したときに、キャッチャー２３で押圧されることによりジャック７側に移動することによって、押鍵時に離脱位置側に回動したジャック７を押圧し、係合位置側に復帰回動させるジャック復帰用移動体２９と、を備えている。【選択図】  図３
2006215150.tif 000002
【特許請求の範囲】
【請求項１】
鍵の押鍵に伴って作動し、バットおよびキャッチャーを有するハンマーを回動させることにより打弦を行わせるアップライトピアノのアクションであって、
前記鍵の押鍵時に、当該鍵で突き上げられることによって上方に回動するウィッペンと、
当該ウィッペンに回動自在に設けられ、前記ハンマーを突き上げるために前記バットの下面に係合する係合位置と、前記ハンマーから外れた離脱位置とに回動するジャックと、
前記鍵の押鍵に伴う前記ハンマーの回動中に、前記ジャックに係合し、当該ジャックを前記ウィッペンに対して前記離脱位置側に回動させることにより、前記ジャックを前記バットから離脱させるレギュレティングボタンと、
前記ウィッペンに設けられ、打弦後に復帰回動する前記ハンマーを、復帰回動の途中の係止位置で前記キャッチャーを介して係止するバックチェックと、
前記ジャックと前記キャッチャーの間に移動自在に設けられ、前記鍵が離鍵されることにより前記ハンマーが前記係止位置から復帰回動を再開したときに、前記キャッチャーで押圧されることにより前記ジャック側に移動することによって、前記ジャックを押圧し、前記係合位置側に復帰回動させるジャック復帰用移動体と、
を備えていることを特徴とするアップライトピアノのアクション。
【請求項２】
前記ジャック復帰用移動体は、前記ハンマーおよび前記ジャックの双方から独立して設けられていることを特徴とする請求項１に記載のアップライトピアノのアクション。
【請求項３】
前記ジャック復帰用移動体は、水平な軸線を中心として回動自在の回動体で構成されていることを特徴とする請求項１または２に記載のアップライトピアノのアクション。
【請求項４】
前記ジャックは、上下方向に延び、前記係合位置において前記バットに係合するハンマー突上げ部を有しており、
前記回動体は、
前記ハンマーが前記復帰回動を再開したときに、前記キャッチャーおよび前記ハンマー突上げ部にそれぞれ当接するキャッチャー当接部およびジャック当接部を有し、
前記ハンマーが前記復帰回動を再開したときに、前記キャッチャーが前記キャッチャー当接部を押圧することにより、前記回動体が前記軸線を中心として回動することによって、前記ジャック当接部が前記ハンマー突上げ部を押圧し、前記ジャックを前記係合位置側に復帰回動させることを特徴とする請求項３に記載のアップライトピアノのアクション。
【請求項５】
前記鍵は、左右方向に並ぶように複数の鍵で構成され、前記ハンマー、前記ウィッペンおよび前記ジャックは前記鍵ごとに設けられており、
前記ジャックと前記キャッチャーの間に配置され、前記複数の鍵の並び方向に沿って水平に延びる単一のレールをさらに備え、
前記回動体は、前記レールに前記鍵ごとに回動自在に設けられた複数の回動体で構成されていることを特徴とする請求項３または４に記載のアップライトピアノのアクション。
【発明の詳細な説明】
【技術分野】
【０００１】
本発明は、鍵の押鍵に伴って作動し、バットおよびキャッチャーを有するハンマーを回動させることにより打弦を行わせるアップライトピアノのアクションに関する。
【背景技術】
【０００２】
例えば、トリルを行う場合のように、鍵を連続して押鍵（連打）するときには、鍵が完全に離鍵状態に戻る前に、再度、押鍵することが繰り返される。しかし、このような鍵の連打を行った場合、アップライトピアノでは、以下に述べる理由から、演奏者の意図どおりの演奏を行えないことがある。
【０００３】
すなわち、連打以外の通常の押鍵の場合には、それに伴い、ハンマーは、その下端部のバットが、ウィッペンとともに回動するジャックの上端部によって突き上げられることにより回動する。ジャックは、押鍵の途中で、レギュレティングボタンによってウィッペンに対して回動させられることによりバットから離脱し、その直後に、ハンマーは弦を打弦することにより演奏音を発生させる。打弦後には、ジャックおよびハンマーは、押鍵時とはそれぞれ逆方向に回動し、さらに鍵が離鍵されることによって、ジャックの上端部がバットに係合した初期状態に復帰する。
【０００４】
これに対し、鍵を連打する場合には、ハンマーが、ジャックよりも早く復帰回動してしまい、それにより、ジャックがバットの側面に当接した状態になり、バットがジャックの復帰回動を妨げることがある。特に、鍵が深いストローク位置にある場合、鍵をかなり戻さない限り、ウィッペンと一緒に回動するジャックの上端部がバットの下側に入り込むことができず、ジャックおよびバットを初期状態に復帰させることができないため、深いストローク位置から鍵を連打しても、ハンマーを適正に駆動できず、打弦が行えない。
【０００５】
このような不具合を解消するための従来のアップライトピアノのアクションとして、例えば特許文献１に開示されたものが知られている。このアクションは、通常のアクションと同様、鍵の押鍵に伴って回動するウィッペンと、ウィッペンに回動自在に取り付けられたジャックと、ウィッペンのジャックよりも前側に設けられたバックチェックと、下端部のバットにジャックの上端部が係合し、ジャックにより突き上げられ、打弦することによって演奏音を発生させるハンマーなどを備えている。
【０００６】
また、バットから前方に突出するキャッチャーシャンクには、上下方向に延びる軸受け部が設けられており、その上端部には、前後方向に延びるレペティションレバーが回動自在に設けられている。また、軸受け部の上端にはコードが立設されており、その上端部とレペティションレバーの後端部の間にはスプリングが取り付けられていて、このスプリングにより、レペティションレバーの前端部が下方に付勢されている。また、レペティションレバーの軸受け部との連結部の前側には、下方に延びるロッドが固定されており、その下端部の調整ねじが、ジャックの上端部の前面に当接している。また、レペティションレバーの後端部にも調整ねじが設けられており、この調整ねじは、バットに上方から対向している。
【０００７】
以上のようなアクションによれば、鍵の押鍵に伴い、ウィッペンとともにジャックが上方に回動し、バットを上方に突き上げることによって、そのレペティションレバーなどとともに回動させる。その途中で、ジャックが、レギュレティングボタンに当接することにより、ジャックスプリングの付勢力に抗してウィッペンに対して回動させられ、バットから離脱する。このジャックの回動により、レペティションレバーは、ロッドを介して駆動され、スプリングの付勢力に抗して、その前端部が上方に回動する。ハンマーが弦を打弦した後、弦の反発力により、ハンマーが反対方向に復帰回動する際には、その途中でレペティションレバーの前端部がバックチェックの上面に当接し、スプリングの付勢力に抗して回動することによって、ロッドの下端部の調整ねじがジャックから離れる。ハンマーがさらに回動すると、キャッチャーシャンクの前端部に設けられたキャッチャーが、バックチェックに係止されるとともに、レペティションレバーの後端部の調整ねじが、バットの上面に当接する。
【０００８】
このような状態から、離鍵され、鍵が元の位置に戻り始めると、ウィッペンおよびジャックがともに下方に回動することによって、まず、キャッチャーからバックチェックが離れる。これにより、上記のように付勢されているレペティションレバーが、ロッドの調整ねじがジャックに当接するまで回動するとともに、後端部の調整ねじがバットから離れる。さらに鍵が戻されることにより、ジャックがレギュレティングボタンから離れるとともに、レペティションレバーの前端部がバックチェックから離れることによって、ジャックが、ジャックスプリングに加え、スプリングの付勢力によりロッドを介して駆動され、元の位置に即座に復帰回動し、その上端部がバットに係合した状態に復帰する。したがって、この状態において、再度の押鍵により、次の打弦を行うことが可能な状態に復帰する。
【０００９】
以上のように、鍵が離鍵され、元の位置に戻る途中において、ジャックを、スプリングおよびジャックスプリングの双方の付勢力によって素早くバットに係合させるので、鍵が離鍵状態に完全に復帰する前に、次の押鍵による打弦が可能な状態になる。また、バックチェックにレペティションレバーおよびキャッチャーの双方が当接することにより、バットの復帰回動が、確実に一旦、停止するので、深いストロークで押鍵した場合であっても、鍵の連打性を維持することができる。
【００１０】
しかし、上述した特許文献１のアクションには、以下のような問題がある。すなわち、このアクションでは、上述したように、構成部品が非常に多く、構成が非常に複雑であるため、製造コストが増大してしまう。また、ジャックには、ロッドなどを介してスプリングの付勢力が常に作用しているので、その分、タッチが重くなるとともに、ジャックがバットから離脱したときの明確なレットオフ感が得られ難いなど、タッチ感が変化してしまい、演奏者に違和感を与えるおそれがある。
【００１１】
本発明は、以上のような課題を解決するためになされたものであり、より単純な構成で、タッチ感を変化させることなく、鍵の連打性を向上させることができるアップライトピアノのアクションを提供することを目的としている。
【００１２】
【特許文献１】特開平６−８３３２６号公報  （第３〜５頁、第１〜４図）
【発明の開示】
【課題を解決するための手段】
【００１３】
この目的を達成するために、本発明の請求項１に係る発明は、鍵の押鍵に伴って作動し、バットおよびキャッチャーを有するハンマーを回動させることにより打弦を行わせるアップライトピアノのアクションであって、鍵の押鍵時に、鍵で突き上げられることによって上方に回動するウィッペンと、ウィッペンに回動自在に設けられ、ハンマーを突き上げるためにバットの下面に係合する係合位置と、ハンマーから外れた離脱位置とに回動するジャックと、鍵の押鍵に伴うハンマーの回動中に、ジャックに係合し、ジャックをウィッペンに対して離脱位置側に回動させることにより、ジャックをバットから離脱させるレギュレティングボタンと、ウィッペンに設けられ、打弦後に復帰回動するハンマーを、復帰回動の途中の係止位置でキャッチャーを介して係止するバックチェックと、ジャックとキャッチャーの間に移動自在に設けられ、鍵が離鍵されることによりハンマーが係止位置から復帰回動を再開したときに、キャッチャーで押圧されることによりジャック側に移動することによって、ジャックを押圧し、係合位置側に復帰回動させるジャック復帰用移動体と、を備えていることを特徴とする。
【００１４】
このアップライトピアノのアクションによれば、離鍵状態の鍵を押鍵すると、ウィッペンが、鍵によって突き上げられることにより上方に回動する。その際、ウィッペンに設けられたジャックおよびバックチェックが、ウィッペンと一緒に上方に移動し、ジャックは、ハンマーを突き上げることにより回動させる。このハンマーの回動中に、ジャックが、レギュレティングボタンに係合し、離脱位置側にウィッペンに対して回動することによってハンマーから離脱し、その後、ハンマーは、慣性により回動を続け、弦を打弦することによって演奏音が発生する。
【００１５】
弦を打弦したハンマーは、弦の反発力によって押鍵時とは逆方向に復帰回動し、その途中で、バックチェックによって、キャッチャーを介して係止位置において係止される。それにより、ハンマーのリバウンドが防止されるとともに復帰回動が一旦、停止される。
【００１６】
この状態から鍵が離鍵されると、バックチェックがウィッペンと一緒に下方に移動するのに伴い、ハンマーの係止状態が解除されることによって、ハンマーは復帰回動を再開しようとする。その際、キャッチャーとジャックの間に設けられた移動自在のジャック復帰用移動体が、ハンマーのキャッチャーで押圧されることによりジャック側に移動することによって、ジャックを押圧し、それにより、ジャックが係合位置側に復帰回動する。すなわち、ジャック復帰用移動体により、バックチェックによる係止後におけるハンマーの復帰回動とジャックの復帰回動を連動させることができ、ハンマーが復帰回動を再開するタイミングに遅れることなくジャックが復帰回動を開始する。それにより、ジャックがハンマーの下方に速やかに入り込み、バットの下面に係合した状態に復帰することによって、ハンマーの復帰回動が再開されるとともに再度の押鍵が可能な状態になる。
【００１７】
以上のように、ジャックは、鍵が離鍵された直後に、ジャック復帰用移動体によって速やかに復帰回動することにより、バットの下面に係合した状態になり、それにより、ハンマーが復帰回動を再開する。すなわち、ジャックがハンマーの下方に入り込まない限り、ハンマーの復帰回動が行えないので、ジャックは、ハンマーのバットに妨げられることなく、ハンマーの下面に係合した状態に確実に復帰することができる。したがって、例えばトリルを行う場合のように、同じ鍵が連続的に速く押鍵された場合であっても、ジャックの動作を鍵の動作に遅れることなく確実に追随させることができるので、鍵の連打性を向上させることができる。
【００１８】
請求項２に係る発明は、請求項１に記載のアップライトピアノのアクションにおいて、ジャック復帰用移動体は、ハンマーおよびジャックの双方から独立して設けられていることを特徴とする。
【００１９】
このアップライトピアノのアクションによれば、ジャック復帰用移動体は、ハンマーおよびジャックのいずれからも独立していることにより、ジャックの復帰回動時以外はアクションの動作にはまったく影響を及ぼさない。したがって、通常のアップライトピアノのアクションと同様の安定した動作を維持することができる。また、同じ理由により、押鍵の開始から離鍵の終了にわたって鍵のタッチ重さにも影響をほとんど及ぼさないので、演奏者は、違和感を覚えることなく、通常のアップライトピアノと同様の感覚で演奏することができる。
【００２０】
請求項３に係る発明は、請求項１または２に記載のアップライトピアノのアクションにおいて、ジャック復帰用移動体は、水平な軸線を中心として回動自在の回動体で構成されていることを特徴とする。
【００２１】
このアップライトピアノのアクションによれば、ジャック復帰用移動体は、水平な軸線を中心として回動する回動体として構成されており、鍵が離鍵されると、ジャックは、キャッチャーで押圧されることにより回動するジャック復帰用移動体で押圧されることによって、復帰回動する。それにより、ジャックはハンマーの下面に係合し、ハンマーの復帰回動が可能な状態になる。このように、単純な構成のジャック復帰用移動体により、鍵の離鍵に伴い、ジャックを速やかに復帰回動させることができるので、アクションの製造コストを大きく上昇させることなく、鍵の連打性を向上させることができる。
【００２２】
請求項４に係る発明は、請求項３に記載のアップライトピアノのアクションにおいて、ジャックは、上下方向に延び、係合位置においてバットに係合するハンマー突上げ部を有しており、回動体は、ハンマーが前記復帰回動を再開したときに、キャッチャーおよびハンマー突上げ部にそれぞれ当接するキャッチャー当接部およびジャック当接部を有し、ハンマーが復帰回動を再開したときに、キャッチャーがキャッチャー当接部を押圧することにより、回動体が軸線を中心として回動することによって、ジャック当接部がハンマー突上げ部を押圧し、ジャックを係合位置側に復帰回動させることを特徴とする。
【００２３】
このアップライトピアノのアクションによれば、鍵が離鍵されることにより、ハンマーのバットにキャッチャーシャンクを介して設けられたキャッチャーは、回動体のキャッチャー当接部の上面に当接するとともにこれを下方に押圧する。回動体は、その連結部においてレールに回動自在に取り付けられており、鍵が離鍵されたときに、キャッチャー、およびジャックのハンマー突上げ部にそれぞれ当接するように、連結部からそれぞれ延びるキャッチャー当接部およびジャック当接部を有している。それにより、回動体は、キャッチャーからの押圧により、軸線を中心として回動し、それに伴い、ジャック当接部が、ジャックの上下方向に延びるハンマー突上げ部をほぼ水平方向の力で押圧する。その結果、ジャックが駆動され、係合位置側に復帰回動することによって、ハンマー突上げ部がハンマーのバットに係合する。
【００２４】
以上のように、鍵が離鍵されると、回動体は、キャッチャーとジャックの双方に当接した状態になり、キャッチャーからの下向きの荷重を、ほぼ水平方向の荷重に変換してハンマー突上げ部に伝達する。このように、キャッチャーからの荷重をジャックを復帰回動させるための荷重としてダイレクトに利用することができ、それにより、ジャックは、バットに妨げられることなく復帰回動することができる。したがって、ハンマー突上げ部をハンマーの下方に確実かつ速やかに入り込ませることができるので、鍵の連打性を確実に向上させることができる。
【００２５】
請求項５に係る発明は、請求項３または４に記載のアップライトピアノのアクションにおいて、鍵は、左右方向に並ぶように複数の鍵で構成され、ハンマー、ウィッペンおよびジャックは鍵ごとに設けられており、ジャックとキャッチャーの間に配置され、複数の鍵の並び方向に沿って水平に延びる単一のレールをさらに備え、回動体は、レールに鍵ごとに回動自在に設けられた複数の回動体で構成されていることを特徴とする。
【００２６】
このアップライトピアノのアクションによれば、回動体は、水平な単一のレールに鍵ごとに設けられており、回動体の動作が、鍵ごとに行われる。また、通常のアップライトピアノのアクションでは、低音域と高音域の間の構成上の差異は、ハンマーシャンクの長さおよびハンマーヘッドの大きさのみであり、バット、キャッチャーおよびジャックなどの構成や相互の位置関係は、全音域にわたって共通である。したがって、単一のレールに同じ構成およびサイズの回動体を単純に取り付けるだけで、所要の機能を有する回動体を、容易に設けることができる。このため、出荷済みのものを含め、既存のアップライトピアノに、後付けで取り付けることも可能であり、それにより、上記の効果を付与することができる。
【発明を実施するための最良の形態】
【００２７】
以下、本発明の好ましい実施形態を、図面を参照しながら詳細に説明する。図１および２は、本発明によるアップライトピアノのアクション１、鍵盤２およびハンマー３などを、離鍵状態において示している。なお、以下の説明では、演奏者側から見たときのアップライトピアノの手前側を「前」、奥側を「後」として説明する。鍵盤２は、左右方向（図１の奥行方向）に並んだ多数の鍵４（１つのみ図示）によって構成されており、各鍵４は、前後方向（図１の左右方向）のほぼ中央において、筬５に立設されたバランスピン５ａに揺動自在に支持されている。
【００２８】
アクション１は、鍵盤２の後端部の上方において、筬５の左右端部にそれぞれ設けたブラケット（図示せず）に取り付けられ、両ブラケットの間に設けられている。アクション１は、ウィッペン６やジャック７などを有していて、これらは、鍵４ごとに設けられている（ともに１つのみ図示）。左右のブラケットの間には、センターレール１６およびハンマーレール１７などが渡されており、このセンターレール１６に鍵４ごとにねじ止めされたウィッペンフレンジ１２およびバットフレンジ２４に、ウィッペン６が後端部において、ハンマー３が下端部において、それぞれ回動自在に取り付けられている。
【００２９】
ウィッペン６は、例えば、合成樹脂や木材によって所定の形状に形成されており、その前部から下方に突出するヒール部６ａを有していて、対応する鍵４の上面後端部に設けられたキャプスタンボタン４ａに、ヒール部６ａを介して載置されている。また、ウィッペン６の上面前端部には、バックチェックワイヤ９ａが立設されており、その先端部にバックチェック９が取り付けられている。また、ウィッペン６の上面後端部には、後述するダンパー２５を駆動するためのスプーン１１が立設されている。また、このスプーン１１のすぐ前方には、前述したウィッペンフレンジ１２が配置されており、このウィッペンフレンジ１２の上部が、センターレール１６に固定されている。
【００３０】
ジャック７は、例えば合成樹脂により構成されており、射出成形によって一体成形されている。また、図２に示すように、ジャック７は、前後方向に延びる基部７ａと、基部７ａの後端部から上方に延びるハンマー突上げ部７ｂを有している。また、ジャック７には、軽量化のための凹部７ｅなどが形成されている。このようなジャック７は、その基部７ａとハンマ突上げ部７ｂとの角部において、ウィッペン６のバックチェックワイヤ９ａよりも後方の位置に回動自在に取り付けられている。また、基部７ａとウィッペン６の間には、ジャックスプリング１０が取り付けられている。このジャックスプリング１０は、コイルばねで構成され、押鍵時に、後述するようにジャック７を付勢するためのものであり、所定のばね力を有している。
【００３１】
ジャック７の基部７ａの上方には、レギュレティングボタン１３が設けられている。このレギュレティングボタン１３は、センターレール１６に設けられた複数のレギュレティングブラケット１４と、その前端部に取り付けられ、左右方向に延びるレギュレティングレール１５とを介して、鍵４ごとに設けられている（１つのみ図示）。
【００３２】
ハンマー３は、バット２０、ハンマーシャンク２１、およびハンマーヘッド２２などを有している。バット２０は、その下端部において、前述したバットフレンジ２４に回動自在に取り付けられており、それにより、ハンマー３が回動自在になっている。また、バットフレンジ２４は、その下端部においてセンターレール１６に固定されている。ハンマーシャンク２１は、バット２０に立設されており、その上端部にハンマーヘッド２２が取り付けられていて、図１に示す離鍵状態では、ハンマーシャンク２１がハンマーレール１７に後方から当接し、ハンマーヘッド２２が鉛直に張られた後方の弦Ｓに対向している。また、バット２０の前面には、キャッチャー２３が設けられている。このキャッチャー２３は、棒状に形成され、バックチェック９に向かって延びるキャッチャーシャンク２３ａと、その前端部に取り付けられたキャッチャー本体２３ｂを有している。
【００３３】
キャッチャー本体２３ｂは、前述したバックチェック９の後方に位置し、これと対向している。また、バット２０とハンマーシャンク２１の間には、バットスプリング２０ａが設けられており、これにより、ハンマー３が図１の時計方向に付勢されている。また、この離鍵状態では、前述したジャック７のハンマー突上げ部７ｂが、係合位置において、バット２０の下面の前端部で構成される被突上げ部２０ｂに下方から係合している。
【００３４】
また、ジャック７とキャッチャー２３の間には、左右方向に水平に延びる単一のレール２７が設けられている。このレール２７は、センターレール１６に左右方向に間隔を隔てて設けられた複数のレールブラケット２６（１つのみ図示）の前端部に取り付けられている。また、レール２７は、鍵盤２の全体にわたって延びており、左右のブラケットの間に渡されている。また、レール２７の上面には、後述する回動体２９を取り付けるための多数の回動体支持部２８（１つのみ図示）が並設されている。各回動体支持部２８は、細長い板状に形成され、レール２７からキャッチャー２３のキャッチャーシャンク２３ａに向かって、その手前まで斜め上方に延びている。また、回動体支持部２８は、レール２７の互いに隣り合う鍵４，４間の境界に相当する部位に配置されている。また、各回動体支持部２８の上端部には、軸孔２８ａ（１つのみ図示）が形成されており、これらの軸孔２８ａに軸３１が水平に通されている。そして、この軸３１の互いに隣り合う回動体支持部２８，２８の間の部分に、すなわち鍵４ごとに、回動体２９（ジャック復帰用移動体）が、軸３１の軸線を中心として回動自在に設けられている（１つのみ図示）。
【００３５】
各回動体２９は、ほぼＬ字形に形成されており、軸３１から前側に斜め下方に延びるキャッチャー当接部２９ａと、ジャック７のハンマー突上げ部７ｂの上端部に向かって、後ろ側に斜め下方に延びるジャック当接部２９ｂとを有していて、両者２９ａ，２９ｂの間の角部において、軸３１に回動自在に取り付けられている。また、キャッチャー当接部２９ａおよびジャック当接部２９ｂの上側の面には、フェルトなどの繊維材料で構成された緩衝材３０ａ，３０ｂがそれぞれ貼り付けられている。
【００３６】
また、アクション１の後方には、ダンパー２５が鍵４ごとに設けられている（１つのみ図示）。ダンパー２５は、ダンパーフレンジ２５ｂを介してセンターレール１６に回動自在に取り付けられたダンパーレバー２５ｃと、ダンパーレバー２５ｃの上側にダンパーワイヤ２５ｄを介して取り付けられたダンパーヘッド２５ａと、ダンパー２５を弦Ｓ側に付勢するダンパーレバースプリング２５ｅなどで構成されている。このダンパー２５は、離鍵時に、ダンパーレバースプリング２５ｅの付勢力によって、ダンパーヘッド２５ａが弦Ｓに当接することにより止音するためのものである。
【００３７】
以下、上述したアクション１およびハンマー３などの押鍵の開始から終了までの一連の動作について説明する。演奏者により、図１の離鍵状態から鍵４が押鍵されると、鍵４は、バランスピン５ａを中心として図１の時計方向に回動し、その後端部に載置されたウィッペン６は、鍵４によって突き上げられることにより、上方（反時計方向）に回動する。このウィッペン６の回動に伴い、ウィッペン６に設けられたジャック７およびバックチェック９などが一緒に移動し、ハンマー３は、そのバット２０がジャック７のハンマー突上げ部７ｂによって突き上げられることにより、後方の弦Ｓに向かって反時計方向に回動する。
【００３８】
ウィッペン６が所定の角度、回動したときに、ジャック７の基部７ａの前端部が、レギュレティングボタン１３に下方から当接する。ウィッペン６がさらに回動するのに従い、ジャック７は、レギュレティングボタン１３によって上方への移動が規制されることにより、ウィッペン６に対して時計方向に回動する。その際、ハンマー突上げ部７ｂが、緩衝材３０ｂを介して回動体２９に当接し、これを押圧することによって、回動体２９は、ジャック７の回動に伴い軸３１を中心として反時計方向に回動する。
【００３９】
さらに押鍵が進み、ジャック７が、レギュレティングボタン１３に当接した状態でさらに時計方向に回動することにより、ハンマー突上げ部７ｂがバット２０から前方に外れ、ハンマー３から離脱することによって、ジャック７は離脱位置側に回動する。これにより、鍵４のタッチ重さからハンマー３の重量分が急激に失われることによって、演奏者にレットオフ感が付与される。ハンマー３は、ジャック７が離脱した後も慣性によって回動し、弦Ｓを打弦することにより振動させることによって、演奏音を発生させる。そして、ハンマー３は、弦Ｓの反発力によって、時計方向への復帰回動を開始する。
【００４０】
ハンマー３は、復帰回動の途中において、バックチェック９に次のようにして係止される。ハンマー３の復帰回動に伴い、キャッチャー本体２３ｂは、バックチェック９に向かって上方から接近する。このとき、バックチェック９は、押鍵に伴ってウィッペン６と一緒に上方にすでに移動しており、このようなバックチェック９の後面に、キャッチャー本体２３ｂの前面が当接する。これにより、バックチェック９がキャッチャー本体２３ｂを押圧することによって、キャッチャー本体２３ｂがバックチェック９に係止され、ハンマー３は、図３に示す係止位置において復帰回動を一旦、停止する。また、前述したように、回動体２９はジャック７の押圧によって回動した状態にあり、ハンマー３がこのようにバックストップされたときには、キャッチャー本体２３ｂは、下方の回動体２９のキャッチャー当接部２９ａとの間にわずかな間隙を存してこれと対向している。
【００４１】
押鍵が終了し、鍵４が離鍵されると、鍵４およびウィッペン６は、それぞれ押鍵時とは逆方向に復帰回動する。その際、バックチェック９もまた、ウィッペン６と一緒に移動するので、押鍵時とは逆にキャッチャー２３から離れ始めることによって、バックチェック９によるハンマー３の係止状態が解除される。それにより、ハンマー３は、バットスプリング２０ａの付勢力により、時計方向に復帰回動を再開する。また、ジャック７も、ウィッペン６と一緒にほぼ下方に移動し、レギュレティングボタン１３から離れ始めることにより、ジャックスプリング１０の付勢力によって、ウィッペン６に対し、押鍵時と逆に反時計方向に復帰回動を開始する。
【００４２】
前述したように、押鍵が終了した状態では、回動体２９が、わずかな間隙を存してキャッチャー本体２３ｂと対向している。このため、鍵４が離鍵され、ハンマー３が復帰回動を再開した直後においては、下降を再開したキャッチャー本体２３ｂが、キャッチャー当接部２９ａの上面に緩衝材３０ａを介して当接し、続いてキャッチャー当接部２９ａを下方に押圧することによって、回動体２９は、軸３１を中心として時計方向に復帰回動する。この回動体２９の回動に伴い、回動体２９のジャック当接部２９ｂにより、ジャック７のハンマー突上げ部７ｂがほぼ水平方向に押圧されることによって、ジャック７が係合位置側に復帰回動する。すなわち、ジャック７は、鍵４が離鍵され、若干、戻されると、ジャックスプリング１０の付勢力に加え、回動体２９を介してハンマー３によって駆動される。その際、回動体２９により、下向きの荷重がほぼ水平方向の荷重に変換され、ジャック７に伝達されることによって、ジャック７は、速やかに復帰回動を開始する。
【００４３】
一方、鍵４が離鍵された直後において、回動体２９は、ハンマー３に対してはストッパとして作用する。すなわち、キャッチャー本体２３ｂの下降が回動体２９によって妨げられることにより、ハンマー３の急な復帰回動が阻止され、そのバット２０が、係止位置とほぼ同じ位置に保持される。
【００４４】
それにより、ジャック７は、その下方への移動に伴い、回動体２９で押圧されることによって、ハンマー突上げ部７ｂがバット２０に邪魔されることなくその下側に速やかに入り込む。したがって、ハンマー突上げ部７ｂの上端部が、バット２０の被突上げ部２０ｂに下方から係合するようになり、ハンマー３の再度の突上げが可能な状態になる。その結果、ハンマー３の復帰回動に対する抵抗が消失するので、ハンマー３は復帰回動を再開する。そして、鍵４などの復帰回動がさらに進むことにより、ハンマーシャンク２１がハンマーレール１７に当接することによって、その復帰回動が停止するとともに、ウィッペン６、ジャック７およびバックチェック９などが、完全に離鍵状態に復帰し、押鍵時および離鍵時の一連の動作が終了する。
【００４５】
また、例えば、トリルを行う場合のように、同じ鍵４を連打する場合には、鍵４は、離鍵された後、離鍵状態に完全に復帰する前に再度、押鍵される。前述したように、ジャック７は、復帰回動の途中の鍵４がわずかに戻されたとき、すなわち、鍵４が深いストローク位置にあるときにおいて、そのハンマー突上げ部７ｂがバット２０に下方から係合することにより、再度の押鍵が可能な状態になるので、そのような状態になったときから離鍵が完全に終了する直前までの間に押鍵することを繰り返すことによって、鍵４の連打を行うことができる。
【００４６】
以上のように、この実施形態のアクション１では、回動体２９により、ハンマー３の係止状態の解除後におけるハンマー３の復帰回動とジャック７の復帰回動を連動させることができ、ジャック７は、鍵４が離鍵された直後に、回動体２９に押圧されることにより速やかに復帰回動することによって、バット２０に係合した状態になり、それにより、ハンマー３が復帰回動を再開する。すなわち、ジャック７がハンマー３の下方に入り込まない限り、ハンマー３の復帰回動が行えないので、ジャック７は、ハンマー３に妨げられることなく、ハンマー３の下面の被係合部２０ｂに係合した状態に確実に復帰することができる。したがって、例えばトリルを行う場合のように、同じ鍵４が連続的に速く押鍵された場合であっても、ジャック７の動作を鍵４の動作に遅れることなく確実に追随させることができるので、鍵４の連打性を向上させることができる。
【００４７】
また、回動体２９は、ハンマー３およびジャック７とは別個に設けられたレール２７に設けられており、両者３,７のいずれからも独立している。したがって、回動体２９は、ジャック７の復帰回動時以外は両者３,７の動作に、ひいてはアクション１全体の動作にまったく影響を及ぼさない。したがって、このアクション１では、通常のアップライトピアノのアクションと同様の安定した動作を維持することができる。また、同じ理由により、押鍵の開始から離鍵の終了にわたって鍵４のタッチ重さにも影響をほとんど及ぼさないので、演奏者は、違和感を覚えることなく、通常のアップライトピアノと同様の感覚で演奏することができる。
【００４８】
また、回動体２９のような単純な構成によって、鍵４の離鍵に伴い、ジャック７を速やかに復帰回動させることができるので、アクション１の製造コストを大きく上昇させることなく、鍵４の連打性を向上させることができる。
【００４９】
また、ハンマー３がバックストップされた後、鍵４が離鍵され、ハンマー３がわずかに復帰回動すると、ジャック７に当接した状態の回動体２９にキャッチャー２３が当接するようになり、回動体２９は、キャッチャー本体２３ｂからの下方へ荷重を、ほぼ水平方向の荷重に変換してハンマー突上げ部７ｂに伝達する。このように、キャッチャー２３からの荷重をジャック７を復帰回動させるための荷重としてダイレクトに利用することができ、それにより、ジャック７は、バット２０に妨げられることなく復帰回動することができる。したがって、ハンマー突上げ部７ｂをハンマー３の下方に確実に入り込ませることができるので、鍵４の連打性を確実かつ速やかに向上させることができる。
【００５０】
また、通常のアップライトピアノのアクションでは、低音域と高音域の間の構成上の差異は、ハンマーシャンクの長さおよびハンマーヘッドの大きさのみであり、バット、キャッチャーおよびジャックなどの構成や相互の位置関係は、全音域にわたって共通である。したがって、単一のレール２７に同じ構成およびサイズの回動体２９を単純に取り付けるだけで、所要の機能を有する回動体２９を、容易に設けることができる。このため、出荷済みのものを含め、既存のアップライトピアノに、後付けで取り付けることも可能であり、それにより、上記の効果を付与することができる。
【００５１】
また、例えば、鍵４が強打され、ハンマー３の復帰回動の速度が大きく、バックチェック９による係止のみではハンマー３の復帰回動を停止させられない場合であっても、キャッチャー本体２３ｂが回動体２９に当接することにより、ハンマー３を、係止位置において確実に停止させることができるので、ハンマー３のバックストップを安定して行うことができる。
【００５２】
なお、本発明は、説明した実施形態に限定されることなく、種々の態様で実施することができる。例えば、実施形態では、ハンマー３が係止されたときに、キャッチャー本体２３ｂが回動体２９に当接するようにしているが、これに限定されることなく、キャッチャーシャンク２３ｂが当接するように構成してもよい。また、実施形態では、レール２７および回動体支持部２８などを介して回動体２９を設けているが、これに限定されることなく、レール２７などを省略し、軸のみをレールとして設け、この軸に回動体２９を回動自在に設けてもよい。
【００５３】
また、実施形態では、回動体２９によりジャック７を復帰回動させているが、これに限定されることなく、例えば、ジャック７とキャッチャー２３の間に、湾曲した管と、この管に通され、両者７,２３の間を管により案内されながら移動可能な移動体とを設け、離鍵時に、ハンマー３によりこの移動体を介してジャック７を押圧させることによって、ジャック７を復帰回動させるようにしてもよい。また、実施形態で示したウィッペンやジャックなどの各構成部品の材質などは、あくまで例示であり、他の適当な材質を採用することが可能である。その他、細部の構成を、本発明の趣旨の範囲内で適宜、変更することが可能である。
【図面の簡単な説明】
【００５４】
【図１】本発明の実施形態によるアクションなどを、離鍵状態において示す側面図である。
【図２】図１のアクションのジャックおよびその付近を、離鍵状態において示す部分拡大図である。
【図３】図１のアクションのジャックおよびその付近を、ハンマーがバックストップされた状態において示す部分拡大図である。
【符号の説明】
【００５５】
１    アクション
３    ハンマー
４    鍵
６    ウィッペン
７    ジャック
９    バックチェック
１３    レギュレティングボタン
２３    キャッチャー
２７    レール
２９    回動体（ジャック復帰用移動体）
２９ａ  キャッチャー当接部
２９ｂ  ジャック当接部
【図１】
2006215150.tif 000003
【図２】
2006215150.tif 000004
【図３】
2006215150.tif 000005